(57)【要約】【課題】システム動作の待ち時間におけるユーザのストレスを解消し、無駄な時間を削減する。【解決手段】記録データ再生システムの電源がＯＮになると（Ｓ１）、ディスクドライブ部２のディスクの種類，フォーマット及び記録情報などを読み取り、内部動作処理を実行する（Ｓ２）。ユーザは、表示項目の設定（Ｓ３）及び表示方法の設定（Ｓ４）を行う。そしてシステムでは、内部動作処理情報を取得するとともに（Ｓ６）外部から入力された外部情報を取得し（Ｓ５）、上記表示項目及び表示方法に従って取得情報の画像・音声・文字処理変換を行う（Ｓ７）。内部動作処理の終了後、上記変換処理により生成した表示画像に切り替える（Ｓ８）。また内部動作処理終了後の操作を登録すると（Ｓ１０）、内部動作処理が終了した後、登録情報に従って自動的に操作が行われる（Ｓ９）。【選択図】図２
2005121768.tif 000002
【特許請求の範囲】
【請求項１】
記録媒体に記録したデータを再生する記録データ再生システムにおいて、該記録データ再生システムは、該記録データ再生システムの内部動作処理中に、該記録データ再生システムの動作情報を検出する検出手段と、該検出手段が検出した動作情報を、前記内部動作処理中に出力する情報出力手段と、該情報出力手段が出力する情報の選択を受け付ける選択手段とを有することを特徴とする記録データ再生システム。
【請求項２】
請求項１に記載の記録データ再生システムにおいて、該記録データ再生システムは、前記内部動作処理中に出力する情報を外部から入力可能とする外部情報入力手段を有し、前記情報出力手段は、前記選択手段に入力した選択入力に従って、前記検出手段による前記動作情報及び／または前記外部情報入力手段から入力された情報を出力することを特徴とする記録データ再生システム。
【請求項３】
請求項１または２に記載の記録データ再生システムにおいて、該記録データ再生システムは、前記内部動作処理中に、該記録データ再生システムの操作を外部から実行できるようにしたことを特徴とする記録データ再生システム。
【請求項４】
請求項３に記載の記録データ再生システムにおいて、前記内部動作処理中に、該内部動作処理終了後の該記録データ再生システムの操作を登録可能としたことを特徴とする記録データ再生システム。
【請求項５】
請求項４に記載の記録データ再生システムにおいて、前記内部動作処理終了後の該記録データ再生システムの操作情報を登録する内部メモリと、前記内部動作処理終了後に前記内部メモリから登録された操作情報を取り出して、該操作情報に従って該記録データ再生システムの操作を行う制御手段とを有することを特徴とする記録データ再生システム。
【請求項６】
請求項４または５に記載の記録データ再生システムにおいて、前記登録した操作情報を、外部機器から参照可能としたことを特徴とする記録データ再生システム。
【請求項７】
請求項４または５に記載の記録データ再生システムにおいて、前記登録した操作情報を、外部機器から変更可能としたことを特徴とする記録データ再生システム。
【請求項８】
請求項１ないし７のいずれか１に記載の記録データ再生システムにおいて、前記動作情報は、電源起動動作処理に関する情報であることを特徴とする記録データ再生システム。
【請求項９】
請求項２ないし８のいずれか１に記載の記録データ再生システムにおいて、前記外部情報入力手段は、外部との通信によって情報入力を可能とするものであることを特徴とする記録データ再生システム。
【請求項１０】
請求項２ないし９のいずれか１に記載の記録データ再生システムにおいて、前記外部情報入力手段は、前記検出手段及び前記情報出力手段を有する記録データ再生システム本体内に内蔵されていることを特徴とする記録データ再生システム。
【請求項１１】
請求項１０に記載の記録データ再生システムにおいて、前記外部情報入力手段は、前記記録データ再生システム本体から取り外し可能であることを特徴とする記録データ再生システム。
【請求項１２】
請求項２ないし１１のいずれか１に記載の記録データ再生システムにおいて、前記外部情報入力手段は、前記検出手段及び前記情報出力手段を有する記録データ再生システム本体との間で、通信回線を介してデータ送受信可能に接続されていることを特徴とする記録データ再生システム。
【請求項１３】
請求項１ないし１２のいずれか１に記載の記録データ再生システムにおいて、前記選択手段は、前記情報出力手段が出力する画像データを、１画面で表示するか２画面以上で表示するかを選択可能としたことを特徴とする記録データ再生システム。
【請求項１４】
請求項１ないし１３のいずれか１に記載の記録データ再生システムにおいて、前記選択手段は、前記情報出力手段が出力する情報として、画像情報，文字情報，及び音声情報のいずれかまたは複数の情報を選択可能としたことを特徴とする記録データ再生システム。
【請求項１５】
請求項１ないし１４のいずれか１に記載の記録データ再生システムにおいて、前記情報出力手段による情報の出力を、前記内部動作処理終了後においても継続するか否かを選択可能としたことを特徴とする記録データ再生システム。
【請求項１６】
請求項１ないし１５のいずれか１に記載の記録データ再生システムにおいて、前記検出手段が検出する動作情報は、前記記録媒体からの記録データの読み取り時間情報を含み、前記情報出力手段は、前記読み取り時間情報を用いて、前記内部動作処理が終了するまでの間に前記動作情報を出力することを特徴とする記録データ再生システム。
【請求項１７】
記録媒体に記録したデータを再生する記録データ再生方法において、該記録データ再生方法は、記録データ再生システムの内部動作処理中に出力する情報を選択する選択ステップと、該内部動作処理中に該記録データ再生システムの動作情報を検出する検出ステップと、該検出ステップで検出した動作情報を、前記選択ステップの選択に従って前記内部動作処理中に出力する情報出力ステップとを有することを特徴とする記録データ再生方法。
【請求項１８】
請求項１７に記載の記録データ再生方法において、該記録データ再生方法は、前記内部動作処理中に出力する情報を外部から入力する外部情報入力ステップを有し、前記情報出力ステップは、前記選択ステップにおける選択に従って、前記検出ステップによる前記動作情報及び／または前記外部情報入力ステップによる入力情報を出力することを特徴とする記録データ再生方法。
【請求項１９】
請求項１７または１８に記載の記録データ再生方法において、前記内部動作処理中に、該内部動作処理終了後の該記録データ再生システムの操作を登録する登録ステップと、前記内部動作終了後に前記登録ステップで登録された操作情報を取り出して、該操作情報に従って該記録データ再生システムの操作を行う登録情報再生ステップとを有することを特徴とする記録データ再生方法。
【請求項２０】
請求項１７ないし１９のいずれか１に記載の記録データ再生方法において、前記選択ステップは、前記情報出力ステップで出力する画像データを、１画面で表示するか２画面以上で表示するかを選択できるようにしたことを特徴とする記録データ再生方法。
【請求項２１】
請求項１７ないし２０のいずれか１に記載の記録データ再生方法において、前記選択ステップは、前記情報出力ステップで出力する情報として、画像情報，文字情報，及び音声情報のいずれかまたは複数の情報を選択可能としたことを特徴とする記録データ再生方法。
【請求項２２】
請求項１７ないし２１のいずれか１に記載の記録データ再生方法において、前記情報出力ステップにおける情報の出力を、前記内部動作処理終了後においても継続するか否かを選択可能としたことを特徴とする記録データ再生方法。
【発明の詳細な説明】
【技術分野】
【０００１】
本発明は、記録データ再生システム及び記録データ再生方法、より詳細には、システムの起動または終了時などのユーザの待ち時間に情報表示や動作設定を行うことができるようにした記録データ再生システム及び方法に関する。
【背景技術】
【０００２】
従来より、機器の動作中におけるユーザの待ち時間のいらいらを如何にして解消するかという問題が議論されてきた。例えば、特許文献１に示されているように、上位装置から端末装置にデータをダウンロードする際、上記装置から送られてくるメッセージ中に、ダウンロードするデータの総容量情報を付加し、端末装置でこの総容量情報を参照して、ダウンロード進捗状況を表示することにより、オペレータのイライラ感や不安感の解消を図る、といった機器の処理状況を表示させるものが多数提案されている。
【０００３】
また、特許文献２には、単に処理状況や終了時間を表示するだけではなく、マルチメディア端末装置を操作している利用者の個人情報に合ったコマーシャル映像を表示画面に映し出して効果的な広告を行い、マルチメディア端末装置の待ち時間を有効活用できるシステムが開示されている。
【０００４】
さらに特許文献３には、分析機器のデータ表示面をマルチウィンドウ化して、その一部に分析データを表示し、他の一部にＴＶやビデオの映像を表示可能とすることにより、分析の待ち時間を有効に活用するといった思想も開示されている。
【特許文献１】特開平３−９２９５１号公報
【特許文献２】特開２００３−６７６２２号公報
【特許文献３】特開平３−１１５９７１号公報
【発明の開示】
【発明が解決しようとする課題】
【０００５】
しかしながら、記録データが再生可能な再生装置やシステムにおいて、電源をＯＮして装置を起動した後の待ち時間には、例えば、“ＷＡＩＴＩＮＧ”などの文字情報が表示されるのみで、ユーザはひたすら起動完了を待つしかなく、この待ち時間が非常に無駄な時間になってしまう。
また、システムを起動した後の待ち時間に所定の画像を表示させる場合でも、どれくらい待てば処理が完了したのか、またいつ処理が完了したのかわからず、ユーザのイライラ感は解消されていなかった。仮に、処理の進捗情報と所定の画像とを表示させる機能があったとしても、待ち時間中に前もって別の処理を行っておきたいと思うユーザにとって、可能な処理は限られていた。
【０００６】
本発明は、上記のごとき実情に鑑みてなされたもので、システムの動作情報や外部から入力された情報を選択して、システムの内部動作処理による待ち時間に表示出力もしくは音声出力できるようにし、かつその待ち時間の間に次の動作の設定を行うことを可能にすることで、システムの内部動作処理による待ち時間に発生するユーザのストレスや不快感を解消することができ、ユーザに対して高い利便性を与えることができるようにした記録データ再生システム及び記録データ再生方法を提供することを目的とするものである。
【課題を解決するための手段】
【０００７】
第１の技術手段は、記録媒体に記録したデータを再生する記録データ再生システムにおいて、該記録データ再生システムは、該記録データ再生システムの内部動作処理中に、該記録データ再生システムの動作情報を検出する検出手段と、該検出手段が検出した動作情報を、前記内部動作処理中に出力する情報出力手段と、該情報出力手段が出力する情報の選択を受け付ける選択手段とを有することを特徴としたものである。
【０００８】
第２の技術手段は、第１の技術手段において、該記録データ再生システムは、前記内部動作処理中に出力する情報を外部から入力可能とする外部情報入力手段を有し、前記情報出力手段は、前記選択手段に入力した選択入力に従って、前記検出手段による前記動作情報及び／または前記外部情報入力手段から入力された情報を出力することを特徴としたものである。
【０００９】
第３の技術手段は、第１または第２の技術手段において、該記録データ再生システムは、前記内部動作処理中に、該記録データ再生システムの操作を外部から実行できるようにしたことを特徴としたものである。
【００１０】
第４の技術手段は、第３の技術手段において、前記内部動作処理中に、該内部動作処理終了後の該記録データ再生システムの操作を登録可能としたことを特徴としたものである。
【００１１】
第５の技術手段は、第４の技術手段において、前記内部動作処理終了後の該記録データ再生システムの操作情報を登録する内部メモリと、前記内部動作処理終了後に前記内部メモリから登録された操作情報を取り出して、該操作情報に従って該記録データ再生システムの操作を行う制御手段とを有することを特徴としたものである。
【００１２】
第６の技術手段は、第４または第５の技術手段において、前記登録した操作情報を、外部機器から参照可能としたことを特徴としたものである。
【００１３】
第７の技術手段は、第４または第５の技術手段において、前記登録した操作情報を、外部機器から変更可能としたことを特徴としたものである。
【００１４】
第８の技術手段は、第１ないし第７のいずれか１の技術手段において、前記動作情報は、電源起動動作処理に関する情報であることを特徴としたものである。
【００１５】
第９の技術手段は、第２ないし第８のいずれか１の技術手段において、前記外部情報入力手段は、外部との通信によって情報入力を可能とするものであることを特徴としたものである。
【００１６】
第１０の技術手段は、第２ないし第９のいずれか１の技術手段において、前記外部情報入力手段は、前記検出手段及び前記情報出力手段を有する記録データ再生システム本体内に内蔵されていることを特徴としたものである。
【００１７】
第１１の技術手段は、第１０の技術手段において、前記外部情報入力手段は、前記記録データ再生システム本体から取り外し可能であることを特徴としたものである。
【００１８】
第１２の技術手段は、第２ないし第１１のいずれか１の技術手段において、前記外部情報入力手段は、前記検出手段及び前記情報出力手段を有する記録データ再生システム本体との間で、通信回線を介してデータ送受信可能に接続されていることを特徴としたものである。
【００１９】
第１３の技術手段は、第１ないし第１２のいずれか１の技術手段において、前記選択手段は、前記情報出力手段が出力する画像データを、１画面で表示するか２画面以上で表示するかを選択可能としたことを特徴としたものである。
【００２０】
第１４の技術手段は、第１ないし第１３のいずれか１の技術手段において、前記選択手段は、前記情報出力手段が出力する情報として、画像情報，文字情報，及び音声情報のいずれかまたは複数の情報を選択可能としたことを特徴としたものである。
【００２１】
第１５の技術手段は、第１ないし第１４のいずれか１の技術手段において、前記情報出力手段による情報の出力を、前記内部動作処理終了後においても継続するか否かを選択可能としたことを特徴としたものである。
【００２２】
第１６の技術手段は、第１ないし第１５のいずれか１の技術手段において、前記検出手段が検出する動作情報は、前記記録媒体からの記録データの読み取り時間情報を含み、前記情報出力手段は、前記読み取り時間情報を用いて、前記内部動作処理が終了するまでの間に前記動作情報を出力することを特徴としたものである。
【００２３】
第１７の技術手段は、記録媒体に記録したデータを再生する記録データ再生方法において、該記録データ再生方法は、記録データ再生システムの内部動作処理中に出力する情報を選択する選択ステップと、該内部動作処理中に該記録データ再生システムの動作情報を検出する検出ステップと、該検出ステップで検出した動作情報を、前記選択ステップの選択に従って前記内部動作処理中に出力する情報出力ステップとを有することを特徴としたものである。
【００２４】
第１８の技術手段は、第１７の技術手段において、該記録データ再生方法は、前記内部動作処理中に出力する情報を外部から入力する外部情報入力ステップを有し、前記情報出力ステップは、前記選択ステップにおける選択に従って、前記検出ステップによる前記動作情報及び／または前記外部情報入力ステップによる入力情報を出力することを特徴としたものである。
【００２５】
第１９の技術手段は、第１７または第１８の技術手段において、前記内部動作処理中に、該内部動作処理終了後の該記録データ再生システムの操作を登録する登録ステップと、前記内部動作終了後に前記登録ステップで登録された操作情報を取り出して、該操作情報に従って該記録データ再生システムの操作を行う登録情報再生ステップとを有することを特徴としたものである。
【００２６】
第２０の技術手段は、第１７ないし第１９のいずれか１の技術手段において、前記選択ステップは、前記情報出力ステップで出力する画像データを、１画面で表示するか２画面以上で表示するかを選択できるようにしたことを特徴としたものである。
【００２７】
第２１の技術手段は、第１７ないし第２０のいずれか１の技術手段において、前記選択ステップは、前記情報出力ステップで出力する情報として、画像情報，文字情報，及び音声情報のいずれかまたは複数の情報を選択可能としたことを特徴としたものである。
【００２８】
第２２の技術手段は、第１７ないし第２１のいずれか１の技術手段において、前記情報出力ステップにおける情報の出力を、前記内部動作処理終了後においても継続するか否かを選択可能としたことを特徴としたものである。
【発明の効果】
【００２９】
本発明によれば、記録データ再生システムの動作情報や外部から入力された情報を選択して、システムの内部動作処理による待ち時間にこれら選択情報を表示出力もしくは音声出力できるようにし、かつその待ち時間の間に次の動作の設定を行うことを可能にすることで、システムの内部動作処理による待ち時間に発生するユーザのストレスや不快感を解消することができ、ユーザに対して高い利便性を与えることができるようにした記録データ再生システム及び記録データ再生方法を提供することができる。
【発明を実施するための最良の形態】
【００３０】
本発明の記録データ再生システムの一実施形態において、記録データ再生システムには、該再生システムの内部動作処理中の待ち時間にシステム内部の動作状況を検出する検出手段、該記録データ再生システムの外部より入力された情報を取得する外部情報入力手段、これら動作情報や外部からの取得情報を内部動作処理中に表示手段や音声出力手段に対して出力する出力手段が設けられる。そしてその出力情報は、ユーザが自由に設定することができ、さらにその画像や音声出力中に次に行う操作を前もって登録できるようにしている。
【００３１】
具体的には、記録データ再生システムは、その内部動作処理中に、システム内部の動作情報として、システムの処理状況（どのような処理を行っているか）に加え、内部動作処理の時間を概算して内部動作処理の残り時間（終了時間）情報を検出し、この情報を表示手段等に出力することができる。
また内部動作処理中に出力する外部からの情報として、インターネットや外部ドライブから取得した情報や、内部メモリに保存した情報を用いることができる。そして、それらの出力情報は、予めユーザがＧＵＩなどを用いて簡易に選択して設定を行うことで、設定された画像や音声をシステムの内部動作処理中の待ち時間に出力することができる。そして画像や音声の出力中にも次に行う操作を登録することができ、登録操作の実行前であれば登録情報を修正することもできる。
【００３２】
以下に本発明の記録データ再生システム及び方法の実施の形態を添付された図面を参照しながら更に具体的に説明する。
図１は、本発明による記録データ再生システムの一実施例を説明するためのブロック図で、光ディスクに記録された記録データの再生が可能な装置の内部システムを示したものである。
記録データ再生システムは、データエンコード部１，ディスクドライブ部２，データデコード部３，表示部４，及び再生データ出力インターフェース（Ｉ／Ｆ）部５からなる主記録再生部２０と、ＭＰＵ(マイクロプロセッサ)６，表示設定部７，時間設定部８，表示画像信号処理部９，操作情報格納用メモリ１０，及び出力情報格納用メモリ１１からなる制御部３０と、外部入力インターフェース（Ｉ／Ｆ）部１２，モデム部１３，及びキー入力部１４からなる外部入力部４０を有している。
【００３３】
主記録再生部２０において、データの記録時には、入力されてくる放送データ等の記録データをデータエンコード部１でディスクに記録可能なフォーマットのデータに変換する。そして変換したデータをディスクドライブ部２に転送し、ディスクドライブ部２に挿入された光ディスクｄにそのデータを記録する。
【００３４】
光ディスクｄに記録されたデータを再生するときには、光ディスクｄに記録されたデータをディスクドライブ部２により読み出してデータデコード部３に送り、データデコード部３では、そのデータにデフォーマット及びデコード処理を施す。そして表示部４では、画像データについてモニタ等に表示できるように加工し、再生データ出力Ｉ／Ｆ部５に送る。再生データ出力Ｉ／Ｆ部５では、再生すべき画像データや音声データにデジタル・アナログ（Ｄ／Ａ）変換を施し、受像機やディスプレイ等の表示手段ないしスピーカなどの音声出力手段に転送する。
【００３５】
制御部３０は、全体の動作制御を行うブロックで、各ブロックの動作はＭＰＵ６により制御される。表示設定部７は、記録データ再生システム内部の動作情報、あるいは外部から得られる情報のいずれを表示するかを外部入力信号に従って設定する。また時間設定部８は、時刻の設定及び動作時間の測定を行う。さらに表示画像信号処理部９は、受像器等の表示手段に表示する画像の構成や、予約ないし録画などで使用するメニュー画面等のＧＵＩの構成を制御する。
【００３６】
操作情報格納用メモリ１０は、記録データ再生システムの内部動作処理が継続している最中に、ユーザがリモコンなどを用いて操作した情報を保存しておくためのメモリである。また出力情報格納用メモリ１１は、表示したい画像や音声などの出力情報や表示設定情報をユーザが入力した場合に、その情報を格納するためのメモリである。
【００３７】
外部入力部４０は、装置外部からの情報を取得するブロックである。本例では、外部入力部４０は、外部ドライブや着脱可能なＩＣメモリなどを装着して、これらから情報を得る外部入力データＩ／Ｆ部１２，インターネットなどから情報を取得できるモデム部１３，リモコンなどによるキー入力から制御情報などを取得するキー入力部１４を有している。
外部入力部４０は、主記録再生部２０及び制御部３０を備えた記録データ再生システム本体に内蔵して構成してもよく、またその一部または全ての要素を再生システム本体から取り外し可能に構成してもよい。さらに外部入力部４０は、公衆回線網やＬＡＮ，ＷＡＮ等の通信回線を介して再生システム本体とは離間した場所にあってもよい。
【００３８】
以下にシステム起動時等の内部動作処理の実行中に、ユーザ所望の画像と処理終了までの待ち時間とを画面表示する場合の動作を説明する。
ここでは、内部動作処理として、ディスクドライブ部２からデータを読み取り、データデコード部３でディスク情報をデコードするとき、データの読み取り中であるという情報と、内部動作処理の内容情報とが、ディスクドライブ部２とデータデコード部３からＭＰＵ６に転送される。そして時間設定部８では、転送された情報からデータの読み取り時間を概算する。
【００３９】
一方、予め内部動作処理前に、ユーザが外部入力部４０より画像情報や音声情報を入力しておけば、その情報は出力情報格納用メモリ１１に格納される。そしてキー入力部１４によって、出力情報格納用メモリ１１に保存された情報が指定されると、出力情報格納用メモリ１１よりＭＰＵ６に画像情報や文字情報，音声情報等の出力情報が転送される。そして画像情報については表示設定部７により該画像情報の表示設定が行われ、さらに表示画像信号処理部９において表示画像の構成がなされて表示部４に転送される。表示部４ではこれらの情報から出力情報を再生データ出力Ｉ／Ｆ部５に転送し、時間設定部８で概算されたデータの読み取り時間の間、その画像出力や音声出力を行う。また、これらの出力情報の出力を、内部動作処理終了後においても継続するか否かをユーザが選択することができるようにする。
【００４０】
また内部動作処理中に予め内部動作処理完了後の操作を登録しておく場合、ユーザによってキー入力部１４に入力された操作情報をＭＰＵ６に転送し、操作情報格納用メモリ１０に登録する。操作情報格納用メモリ１０に登録された情報は、ユーザ操作によって表示させて確認することが可能であり、さらにユーザが誤って操作してしまった場合は、操作情報格納用メモリ１０の登録情報を削除することも可能である。そして内部動作処理の終了後、ＭＰＵ６は、操作情報格納用メモリ１０に登録された操作情報を読み取り、自動的に内部動作処理終了後の操作を実行する。
【００４１】
本発明における動作情報を検出する検出手段は、ＭＰＵ６によって実現される。例えば、上述のように、内部動作処理としてディスクドライブ部２からデータを読み取り、データデコード部３でディスク情報をデコードするときは、ＭＰＵ６がディスクドライブ部２とデータデコード部３から動作情報を受け取って、動作情報の検出を行う。
また、本発明の情報出力手段は、表示設定を行う表示設定部７，表示画像の構成を行う表示画像信号処理部９，表示画像を再生データ出力Ｉ／Ｆ部５に転送する表示部４，表示部４から転送された表示用データや音声データを出力する再生データ出力Ｉ／Ｆ部５，及びこれらを制御するＭＰＵ６によって実現される。
【００４２】
さらに、本発明おける選択手段は、ＭＰＵ６によって実現される。選択手段に対する選択入力は、キー入力部１４によって実行可能となる。また、図示しないマウスやタッチパネル，ペン入力手段等を用いて選択入力を行うようにすることができる。
【００４３】
さらに本発明の外部入力手段は、外部入力部４０によって実現される。また操作情報を登録する内部メモリは、操作情報格納用メモリ１０によって実現される。さらに、上記登録した操作情報に従って記録データシステムの操作を行う制御手段は、ＭＰＵ６によって実現される。
【００４４】
次に、本発明の記録データ再生システムにおける電源投入から立ち上がりに至るまでの動作中に画像／音声データを出力するフローの一例を説明する。図２は、電源投入から立ち上がりの動作時に画面表示を行う場合のチャート図である。
まず外部より本記録データ再生システムの電源が投入され電源ＯＮになると（ステップＳ１）、記録データ再生システムでは、ディスクドライブ部２に挿入されているディスクの種類，フォーマット及び記録情報などを読み取り、内部動作処理を実行する（検出ステップ；ステップＳ２）。
【００４５】
例えば、電源起動動作等の内部動作処理には数十秒から数分もの時間がかかる場合があり、本発明ではその内部動作処理を実行している間に、ユーザが選択した画像ないし文字の表示、あるいは音声の出力を行うことができるようにする。
そしてユーザは、表示項目の設定（ステップＳ３）及び表示方法の設定（ステップＳ４）を行う。ステップＳ３では、例えば、画像のみを表示するか画像と内部動作処理情報（例えば、処理時間情報）の両方を表示するかを選択して設定することができる（選択ステップ）。またステップＳ４では、例えば、上記の表示項目に従う情報を２画面で表示するか1画面で表示するか等を設定することができる。設定条件は、内部メモリに保持しておく。
【００４６】
そして記録データ再生システムの内部システムでは、動作情報等の内部情報を取得するとともに（ステップＳ６）外部から入力（外部情報入力ステップ）された外部情報を取得する（ステップＳ５）。そしてステップＳ３及びステップＳ４で設定された表示項目及び表示方法に従って、ステップＳ５及びＳ６で取得した情報の画像・音声・文字処理変換を行って表示画像を生成する（ステップＳ７）。そして内部動作処理が終了したならばその旨をユーザに通知し、表示手段の表示をステップＳ７で生成した表示画像に切り替える（ステップＳ８）。この処理は本発明の情報出力ステップに該当する。
ここで、内部動作処理終了後の操作がキー入力等によって登録されている場合（登録ステップ；ステップＳ１０）は、内部動作処理が終了した後、登録された操作に従って引き続き自動的に操作が行われる（登録情報再生ステップ；ステップＳ９）。
【００４７】
次に記録データ再生システムの表示画面に表示される画像の選択の流れと、表示される画像の構成例について説明する。図３は、表示画像選定の際のＧＵＩのフローの一例を示す図である。
選択画面５１では、記録データ再生システムの内部動作処理を実行中に表示画面に表示する情報をユーザが選択することができる。ここで、表示する情報として「内部処理情報」が選択された場合、選択画面５２に移り、内部処理情報のさらに詳細な情報の選択を可能とする。ここで「残り動作処理時間」など、時間情報の表示が選択された場合は、選択画面５３に移る。選択画面５３では、時間表示をバー表示にするか、時計で表示するか、時刻を文字で表示するかを選択可能とする。選択された表示型式の情報は保存され、表示は選択画面５１に戻る。
【００４８】
選択画面５２において、「入力処理待ち内容」が選択された場合は、予め登録されている内部動作処理終了後の操作内容が表示される。内部動作処理終了後の操作内容は、選択画面５４のごとくに表示され、ユーザは所望の項目を選択することによって内容を確認することができる。
【００４９】
選択画面５１において、「外部情報表示」が選択された場合は、選択画面５５に移り、表示する外部情報として、外部ドライブから取り出される情報，インターネットから取り出される情報，及びテレビ画像情報のいずれかを選択可能とする。これら選択項目から選択された外部情報を、記録データ再生システムの内部動作処理中に表示する。
【００５０】
また選択画面５１において、以前に行った設定をもう一度使用する場合、ユーザは、選択画面５１で「保存されている情報」を選択する。記録データ再生システムでは、「保存されている情報」が選択された場合、選択画面５６に移り、以前に保存された設定情報を表示する。そして選択画面に表示した設定情報が選択された場合は、その選択された設定を使用して表示を行う。
【００５１】
また、選択画面５６において、「保存されている情報を見る」が選択され、例えば画像情報が保存されているときは、さらにサムネイルによる選択画面５７が表示される。この選択画面５７において、内部動作処理の実行中に表示する画像情報の選択を行うこともできる。
【００５２】
上記のごとくの設定が全て終了しならば最初の選択画面５１に戻る。そしてユーザが「表示形式設定へ」を選択することにより、表示方法の選択画面５８に移る。ここでは、表示情報を１画面で表示するか、２画面表示にするかの選択を受け付ける。例えば、２つの表示情報が選択された場合に、２画面表示によってこれらの表示情報を表示することができる。ここで、「２画面表示」が選択された場合は、選択画面５９に移り、どのような形式の２画面にするかを選択可能とする。この選択画面５９で、２画面の表示型式の選択なされれば表示設定を終了する。
【００５３】
図４は、記録データ再生システムの内部動作処理中に表示する表示画面の例を示す図である。ここでは、内部動作処理時間のバー表示６１を１画面で行う表示画面例を図４（Ａ）に示す。また、テレビ画面の動画像表示あるいは外部ドライブに記録された動画像表示６２と、時間のバー表示６１とを一画面で行う表示画面例を図４（Ｂ）に示す。図４（Ｂ）の例では、動画像表示６２の下方に時間のバー表示６１を行っている。
【００５４】
また、動画像表示と時間のバー表示の他の表示形態を図４（Ｃ）に示す。図４（Ｃ）の場合は、動画像表示６２と時間バー表示６１とを２画面で行う例を示している。また、図４（Ｄ）は、インターネットなどによるニュース等のコンテンツ画像表示６３と、時間のバー表示６１を１画面で行う例を示している。コンテンツ画像表示６３は、スクロール可能な形式、あるいは所定時間毎に表示を更新していく形式とし、さらにこれらの表示形式のいずれかを選択可能としてもよい。
【００５５】
上述のように、内部動作処理中に種々のソース及び種々の型式の表示や音声出力を行うことによって、内部動作処理の終了を待つユーザの苦痛を和らげることができる。また、内部動作処理中の待ち時間に、その後の操作を事前に登録可能とすることで、ユーザの無駄な時間を省き、ユーザに高い利便性を提供することができるようになる。
【００５６】
すなわち、本発明の記録データ再生システムでは、内部動作処理状況や、ユーザ好みの画像データなどを、ユーザが好むさまざまな形態で出力できるようにすることにより、ユーザがシステムの内部動作処理の状況把握が可能であり、かつユーザに待ち時間による苦痛を感じさせず、さらにユーザの嗜好に合わせて表示画面を設定できるという娯楽性を兼ね備えることができる。
【００５７】
また、内部動作処理終了後の操作を登録しておくことによって、内部動作処理後のユーザの操作を省略することにより、待ち時間の無駄を省くことができる。この登録情報は、ユーザが確認することができ、操作の間違いなどを修正することができる。
【００５８】
また、内部動作処理が特に電源投入時の場合は、内部動作処理状況を表示できるようにしたことでユーザが故障やエラーなどの判断を画面で確認することができ、かつ待ち時間の苦痛を和らげることが可能となる。
また、インターネットなどの通信手段によって外部情報を取得して出力することにより、内部動作処理状況を把握しながら、インターネット等によるリアルタイムの情報を得ることができる。
【００５９】
さらには、記録データ再生システム内部のメモリなどに、予めユーザが好みの画像などの情報を記録しておき、その情報をシステムの内部動作処理中に表示や音声出力させることにより、表示や音声出力する情報をユーザが自由に選択することができるようになる。
さらには、例えば、ＩＣカードや外部ドライブを接続して外部情報を取得できるようにすることにより、他で記録したメディアなどの情報を、待ち時間に画面表示することが可能となる。また、ユーザが待ち時間の表示を１画面で表示するか２画面以上で表示するかを選択できることにより、ユーザが見やすい好みの表示を設定することが可能となる。
また、ユーザが設定した画像または音声をシステムの内部動作処理が終了した後も継続して出力し続けるようにするか、もしくは内部動作終了時に出力を終了するかをユーザが選択できるようにしたことで、外部情報が途中で中断してしまうことでユーザに不快感をもたらすことを防ぐことができる。
【図面の簡単な説明】
【００６０】
【図１】本発明による記録データ再生システムの一実施例を説明するためのブロック図である。
【図２】電源投入から立ち上がりの動作時に画面表示を行う場合のチャート図である。
【図３】表示画像選定の際のＧＵＩのフローの一例を示す図である。
【図４】記録データ再生システムの内部動作処理中に表示する表示画面の例を示す図である。
【符号の説明】
【００６１】
１…データエンコード部、２…ディスクドライブ部、３…データデコード部、４…表示部、５…再生データ出力Ｉ／Ｆ部、６…ＭＰＵ、７…表示設定部、８…時間設定部、９…表示画像信号処理部、１０…操作情報格納用メモリ、１１…出力情報格納用メモリ、１２…外部入力データＩ／Ｆ部、１３…モデム部、１４…キー入力部、２０…主記録再生部、３０…制御部、４０…外部入力部、５１，５２，５３，５４，５５，５６，５７，５８，５９…選択画面、６１…バー表示、６２…動画像表示、６３…コンテンツ画像表示、ｄ…光ディスク。
【図１】
2005121768.tif 000003
【図２】
2005121768.tif 000004
【図３】
2005121768.tif 000005
【図４】
2005121768.tif 000006